Podtech/llm-jp-corpus-v4-ja_patent huggingface dataset:
(57)【要約】      （修正有）【課題】エンジンの回転時と停止時で異なる警告を行う前照灯消し忘れ警告システムを提供する。【解決手段】エンジンの状態に対応した動作リレーＲ．Ｙと、コンデンサＣ１、ダイオードＤ１を利用することで、エンジン停止の状態で前照灯（スモール灯を含む）を点灯させた場合、もしくは前照灯を消し忘れたままでエンジンを停止した場合に、警告表示ブザーＢ．Ｚおよびメーターパネルなどに設けた警告表示ランプＬＥＤで重複警告し、エンジン回転の状態でトンネルなどを出て消灯を忘れたままで走行した場合、前記警告表示ランプＬＥＤで表示する。【選択図】図１
2014189273.tif 000002
【特許請求の範囲】
【請求項１】
自動車の前照灯消し忘れ警告システムに関する構造であり、エンジンを停止すことにより前照灯（スモール灯を含む）を点灯した状態ではブザー警告および適当位置に設けたランプで以って知らせることを特徴とした装置。
【発明の詳細な説明】
【発明の詳細な説明】
この発明は自動車の前照灯消し忘れ警告システムに関する構造であり、特にエンジン停止の状態で前照灯（スモール灯を含む）を点灯させた場合はブザー警告および適当位置に設けたランプで以って知らせ、またはトンネルなどを出て消灯を忘れたままで走行するとメーターパネルなどに設置した前記警告ランプで表示され、走行を終わり前照灯を点灯させたままでサービスエリアなどでエジンを停止すると同じくブザー警告および前記メーターパネルなどに設置した警告ランプで表示の重複警告する装置である。  そのあり方は図面を以って容易に理解できましょう。特にスーパーなどでの買い物中によく○○○  ○○○  ○○−○○番のお車の前照灯が点灯のままです、お車に至急お帰り下さいませと言うアナウンスがありますが、本発明によりバッテリー上がりや、省エネルギーに役立つことも理解できましょう。
【図面の簡単な説明】  本発明を示す基本回路図【図１】エンジン回転中で動作リレーが動作中で前照灯を点灯中で警告ランプのみ表示中を示す。
【図２】エンジン停止で動作リレーが動作停止で前照灯を点灯中で警告ブザー動作と警告ランプの両方で警告中を示す。
【図面の符号の説明】
Ｒ．Ｙ  ＝    動作リレーＨ．Ｌ  ＝    前照灯回路（通電回路）Ｅ．Ｃ  ＝    エンジン  コントロール回路（エンジン始動時通電回路）Ｂ．Ｚ  ＝    警告表示ブザーＬＥＤ  ＝    警告表示ランプＤ１    ＝    ダイオードＣ１    ＝    動作遅延用電解コンデンサー2014189273.tif 000003
【図１】
2014189273.tif 000004
【図２】
2014189273.tif 000005
【手続補正書】
【提出日】平成26年3月17日(2014.3.17)
【手続補正１】
【補正対象書類名】明細書
【補正対象項目名】全文
【補正方法】変更
【補正の内容】
【発明の詳細な説明】
【発明の詳細な説明】
この発明は自動車の前照灯消し忘れ警告システムに関する構造であり、特にエンジン停止の状態で前照灯（スモール灯を含む）が点灯している場合は消し忘れ警告ブザーＢ．Ｚで警告して、更にメーターパネルなどの適当位置に設けた消し忘れ警告表示ランプＬＥＤで以って知らせ、またはトンネルなどを出て前照灯の消灯を忘れたままで走行すると前記警告表示ランプＬＥＤ表示され、走行を終わり前記前照灯の消灯を忘れたまま、サービスエリアなどでエンジンを停止すると同じく前記ブザーＢ．Ｚでの警告および前記警告ランプＬＥＤ表示で重複警告するシステムである。
［図１］においてエンジン始動回転と同時にエンジン始動回転中の通電回路ＥＣよりの電流で動作リレーＲＹが動作し、トンネルなどで前照灯の点灯により前照灯点灯回路ＨＬよりの電流は切り替え接点Ｃよりメイク接点ａを介して消し忘れ警告表示ランプＬＥＤのみ点灯表示して、ダイオードＤ１により消し忘れ警告ブザーＢ．Ｚへの電流は阻止される。
［図２］においてエンジン停止と同時にエンジン始動回転中の通電回路ＥＣよりの電流も断たれて動作リレーＲＹの動作も停止し、点灯中の前照灯点灯通電回路ＨＬよりの電流は切り替え接点Ｃよりブレイク接点ｂを介して消し忘れ警告ブザーＢ．Ｚに流れて消し忘れ警告と同時にダイオードＤ１を介して消し忘れ警告表示ランプＬＥＤへも流れて消し忘れ警告表示する。
勿論、前照灯を消灯することによりエンジン停止した場合はいづれの警告およ表示もしないことは以上の記述で図面を以って容易に理解できましょう。
特にスーパーなどでの買い物中によく○○○  ○○○  ○○−○○番のお車のお客さま、前照灯が点灯のままです、お車に至急お帰り下さいませと言うアナウンスが、よくありますが、本発明によりバッテリー上がりや、省エネルギーに役立つことも理解できましょう。
【図面の簡単な説明】本発明を示す基本回路図
【図１】エンジン回転中で動作リレーが動作中で前照灯を点灯中で消し忘れ警告警告ランプＬＥＤのみの表示を示す。
【図２】エンジン停止で動作リレーが動作停止で前照灯を点灯通電中で消し忘れ警告ブザーＢ．Ｚの警告と消し忘れ警告ランプＬＥＤの両方で警告中を示す。
【図面の符号の説明】
ａ      ＝    メイク接点（Ｎｏ）
ｂ      ＝    ブレイク接点（Ｎｃ）
ｃ      ＝    切り替え接点（トランスファー接点）
Ｒ．Ｙ  ＝    動作リレー
Ｈ．Ｌ  ＝    前照灯点灯回路（通電回路）
Ｅ．Ｃ  ＝    エンジン  コントロール回路（エンジン始動回転中通電回路）
Ｂ．Ｚ  ＝    消し忘れ警告ブザー
ＬＥＤ  ＝    消し忘れ警告表示ランプ
Ｄ１    ＝    ダイオード
Ｃ１    ＝    動作遅延用電解コンデンサー
2014189273.tif 000006
【手続補正２】
【補正対象書類名】特許請求の範囲
【補正対象項目名】全文
【補正方法】変更
【補正の内容】
【特許請求の範囲】
【請求項１】
自動車の前照灯消し忘れ警告システムに関する構造であり、前照灯（スモ−ル灯を含む）の点灯中にエンジンを停止すると消し忘れ警告ブザーＢ．Ｚ及びメーターパネルなどの適当位置に設けた消し忘れ警告表示ランプＬＥＤで表示し、同じくエンジンを停止して前照灯を消灯するといずれの警告も停止することを特徴とする前照灯消し忘れ警告システム。
【手続補正４】
【補正対象書類名】図面
【補正対象項目名】全図
【補正方法】変更
【補正の内容】
【図１】
2014189273.tif 000007
【図２】
2014189273.tif 000008
(57)【要約】      （修正有）【課題】画像を金属面にローレリーフ（浅浮き出し彫刻）する画像転写方法において、画像が目立ち、高精細で装飾性とアート性にすぐれた金属面への画像転写方法を提供する。【解決手段】サンドブラスト用露光フィルムを用い、サンドブラストにより金属面に画像を浮き出させ、サンドブラストで浮き出た画像形成部分だけをエッチング液などで腐食させることにより、ブラストされていない金属面と腐食により黒くなった金属面９がはっきり区別され装飾性とアート性を大幅に向上させる。【選択図】図３
2014189904.tif 000002
【特許請求の範囲】
【請求項１】
サンドブラストにより金属面に浮き出された画像形成部分をエッチングにより腐食させる金属面への画像転写方法。
【請求項２】
上記方法により製作された製造物または作品。
【発明の詳細な説明】
【技術分野】
【０００１】  この発明は画像を金属面にローレリーフ（浅浮き出し彫刻）にすることにより装飾性とアート性を高めた金属面への画像転写方法に関する。
【背景技術】
【０００２】  従来のレリーフ銅板は銅板に画像を手作業で転写して、その画像の輪郭線をヘラなどで１線ずつ浮き出させて、その後エッチング液で銅版全体を腐食させ、その表面を粗磨きすることにより画像と金属面との濃淡をつける方法である。【０００３】  この方法では画像の転写及び輪郭線の再現を作業者の手作業に依存しているため高精度の再現性は出来ない。またこの問題を解決するためサンドブラスト用の露光フィルムを用い高精度の再現性はできるようになってきたが、ブラストによる画像の形成部分と金属面の色に大きな差異がないため画像の強調ができず、再現性はあるが装飾性、アート性にかかわる高品質のものではない。
【先行技術文献】
【特許文献】
【０００４】  なお、本願発明に関連する公知技術として次の特許文献１及び実用新案２をあげることができる。
【特許文献１】出願番号：特許出願２００７−３０００６４  公開番号：特許公開２００９−１２５８２４
【特許文献２】出願番号：実用新案２００２−２４９９  公開番号：登録実用新案第３０８８８５５号
【発明の概要】
サンドブラスト用露光フィルムを用い、金属面に画像をブラスト後、浮き出てきた画像形成部分だけを腐食する金属面への画像転写方法。
【発明が解決しようとする課題】
【０００５】  サンドブラスト用露光フィルムを用いた、金属面への画像のブラストにより浮き出てきた画像形成部分をエッチング液などで腐食することにより、画像部分を強調したローレリーフという新しい表現方法も提供できる。
【課題を解決するための手段】
【０００６】    従来のサンドブラスト用露光フィルム用いて画像を転写したフィルムを金属面に貼付けた後ブラストし、浮き出た画像形成部分だけをエッチング液で腐食させた後フィルムを剥離して高品質の金属面への画像転写を特徴とする。
【発明の効果】
【０００７】  以上説明したように画像とくにお子様の絵などを金属面に高精度、高品質に転写でき、かつローレリーフという絵が浮きあがって見える画像に仕上げることができ、従来にない装飾性とアート性にすぐれた今までない特徴をもった作品を提供できる。
【図面の簡単な説明】
【０００８】
【図１】一般的なサンドブラストのシステム図である。
【図２】本発明の実施形態に関わる断面図である。
【図３】本発明の実施形態に関わる断面図である。
【発明を実施するための形態】
【０００９】  以下、この発明の実施形態を図面に基づき詳細に説明する。
図１は一般的なサンドブラストのシステム図である。
６エアーコンプレッサーおよび６予備用エアコンプレッサーから空気を４エアーホースを通して５圧力調整器および５予備圧力調整器に送り込み、その先の３噴射ユニットを経由して２ノズルから研磨材を画像を転写した７ブラスト用露光フィルムを貼付した金属板に吹き付ける。図２はサンドブラスト加工後の画像の断面図である。従来の方法ではブラスト後、８金属板に貼付した７ブラスト用露光フィルムはすぐに剥離するが本発明では剥離せずに画像形成部分にエッチング液で腐食させた後、図３のように７ブラスト用露光フィルムを剥離すると９黒く腐食した金属面がローレリーフ画像として金属面に形成される。
【符号の説明】
【００１０】１．サンドブラストボックス
２．ノズル
３．噴射ユニット
４．エアーホース
５．圧力調整機
６．エアーコンプレッサー
７．サンドブラスト用露光フィルム
８．金属板
９・腐食した金属面
【図１】
2014189904.tif 000003
【図２】
2014189904.tif 000004
【図３】
2014189904.tif 000005
(57)【要約】【課題】低騒音、低振動であり、安価に施工することができる、地盤改良方法を提供する。【解決手段】（ａ）中空のシリンダを地盤中に貫入する工程と、（ｂ）前記シリンダ内に現場発生土を充填する工程と、（ｃ）先端に加圧体を有する加圧具を前記シリンダに貫入し、充填した前記現場発生土を圧密する工程と、（ｄ）先記加圧具を引き抜く工程と、前記（ｂ）〜（ｄ）を複数回繰り返すことにより、地盤中に高さ方向に圧密した改良体を構築し、前記シリンダを引き抜くことを特徴とする、地盤改良方法。【選択図】図３
2014189972.tif 000002
【特許請求の範囲】
【請求項１】
（ａ）中空のシリンダを地盤中に貫入する工程と、
（ｂ）前記シリンダ内に現場発生土を充填する工程と、
（ｃ）先端に加圧体を有する加圧具を前記シリンダに貫入し、充填した前記現場発生土を圧密する工程と、
（ｄ）先記加圧具を引き抜く工程と、
（ｅ）前記（ｂ）〜（ｄ）を複数回繰り返すことにより、地盤中に高さ方向に圧密した改良体を構築する工程と、
（ｆ）前記シリンダを引き抜く工程と、を有する、
地盤改良方法。
【請求項２】
本願の第２発明は、第１発明の地盤改良方法において、前記（ａ）工程は、（ａ１）中空のシリンダ内部に加圧具を配置し、前記シリンダを前記加圧具ごと地盤中に貫入する工程と、（ａ２）前記加圧具を引き抜く工程と、からなることを特徴とする、地盤改良方法
【発明の詳細な説明】
【技術分野】
【０００１】
本発明は、小規模住宅における地盤改良方法に関するものである。
【背景技術】
【０００２】
近年、小規模住宅における地盤改良として、立地条件の不良な軟弱層に支持杭を打設することが盛んに行われている。
支持杭としては、木製杭や鋼管杭、コンクリートパイル等が用いられている。
【発明の概要】
【発明が解決しようとする課題】
【０００３】
これら従来の支持杭による地盤改良方法は、以下のような問題点がある。
（１）木製杭や鋼管杭は地表から地盤中に貫入するものであるため、貫入時の騒音、振動が問題となる。
（２）鋼管杭やコンクリートパイルは自然材ではないため、環境への負担が大きく、土地の価値がさがる。
（３）いずれの支持杭においても、材料費、部材費が発生する。
【０００４】
本発明は、低騒音、低振動であり、安価に施工することができる、地盤改良方法を提供することを目的とする。
【課題を解決するための手段】
【０００５】
上記目的を達成するためになされた本願の第１発明は、（ａ）中空のシリンダを地盤中に貫入する工程と、（ｂ）前記シリンダ内に現場発生土を充填する工程と、
（ｃ）先端に加圧体を有する加圧具を前記シリンダに貫入し、充填した前記現場発生土を圧密する工程と、（ｄ）先記加圧具を引き抜く工程と、（ｅ）前記（ｂ）〜（ｄ）を複数回繰り返すことにより、地盤中に高さ方向に圧密した改良体を構築する工程と、（ｆ）前記シリンダを引き抜く工程と、を有する、地盤改良方法を提供する。
本願の第２発明は、第１発明の地盤改良方法において、前記（ａ）工程は、（ａ１）中空のシリンダ内部に加圧具を配置し、前記シリンダを前記加圧具ごと地盤中に貫入する工程と、（ａ２）前記加圧具を引き抜く工程と、からなることを特徴とする、地盤改良方法を提供する。
【発明の効果】
【０００６】
本発明は、上記した課題を解決するための手段により、次のような効果の少なくとも一つを得ることができる。
（１）地盤にはシリンダを貫入するのみであるため、騒音、振動が少ない。
（２）地盤や現場発生土を圧密するのみで他の材料が残存しないため、環境への負担が小さい。
（３）他の材料が残存しないため、土地の価値が下がらない。
【図面の簡単な説明】
【０００７】
【図１】本発明の地盤改良方法による改良体の説明図
【図２】加圧具の説明図
【図３】地盤改良方法の説明図
【図４】その他実施例の地盤改良方法の説明図
【発明を実施するための形態】
【０００８】
以下、図に示す実施例に基づき、本発明を詳細に説明する。
【実施例１】
【０００９】
＜１＞改良体
本発明の地盤改良方法は、地盤中に改良体１を構築することにより地盤改良を行うものである。（図１）
改良体１は地盤内において、所定の間隔の深さで複数回地盤土を圧密することにより構築する。
地盤はロームや粘性土からなる地盤が好適である。
【００１０】
＜２＞改良装置
改良体１は改良装置２によって構築する。
改良装置２は、地盤中に貫入するシリンダ２１と、シリンダ２１に内挿する加圧具２２と、からなる。（図２）
シリンダ２１は先端が開放された鋼管である。
加圧具２２はシリンダ２１内を往復動するものであり、棒体２２１の先端に加圧体２２２を設ける。
加圧体２２２は、シリンダ２１の内径と略同径の円柱体又は円板とする。
【００１１】
＜３＞圧密による改良体の構築方法
（１）改良装置の貫入、圧密
シリンダ２１を杭打機（図示しない）にとりつけて、地盤中に貫入する。（図３ａ）
シリンダ２１の先端が所定の深度（２〜４ｍ）になるまで貫入する。
地盤は粘性が高いため、シリンダ２１貫入時に、開放されたシリンダ２１の先端からシリンダ２１内に入り込んだ地盤土は、シリンダ２１内側面の摩擦によって、シリンダ２１の先端付近に土塊１１として留まった状態でシリンダ２１と一緒に地盤内に貫入される。このため、シリンダ２１の先端の周囲地盤土はシリンダ２１と土塊１１によって圧密される。（図３ｂ）
地盤にシリンダ２１を貫入して圧密するため、騒音、振動が少ない。
【００１２】
（２）圧密の繰り返し
上記（１）の所定の深度までシリンダ２１を貫入したら、現場発生土３をシリンダ２１内に充填してその上から加圧具２２をシリンダ２１内で押し下げる。（図３ｃ）
そして、土塊１１の上部で、充填した現場発生土３が圧密され、土塊１１がシリンダ２１内で形成される。（図３ｄ）
現場発生土３の圧密が終了したら加圧具２２の引き抜き、現場発生土３の充填、加圧具２２による圧密を繰り返す。これにより、シリンダ２１の先端および内部、すなわち地盤中に高さ方向に連続する改良体１を構築する。
最後にシリンダ２１を地盤から引き抜く（図３ｅ）。
改良体１の頭部を加圧具２２により押さえながらシリンダ２１を引き抜くことで、改良体１を地盤中に残したまま、シリンダ２１のみを引き抜くことができる。
このように、鋼管やコンクリート等のその他の部材を使用しないため、環境への負担が小さく、土地の価値が下がることがない。また、材料費、部材費等が発生せず、安価に構築することができる。
【００１３】
＜５＞その他実施例
シリンダ２１を貫入して圧密体を形成する際に、シリンダ２１に加圧具２２を挿入した状態で、シリンダ２１と加圧具２２を一緒に地盤中に貫入しても良い。（図４）
加圧具２２によって地盤土を圧密するため、シリンダ２１との間の摩擦の小さい土壌の地盤であっても、圧密によって土塊１１を構築することができる。
【符号の説明】
【００１４】
１      改良体
２      加圧具
２１    回転軸
２２    加圧体
３      現場発生土
【図１】
2014189972.tif 000003
【図２】
2014189972.tif 000004
【図３】
2014189972.tif 000005
【図４】
2014189972.tif 000006
(57)【要約】【課題】段ボールの上部を開放した状態で陳列する場合は上部を開放していては積み重ね陳列は出来なかった。【解決手段】周壁をなす各側面から延出したフラツプで底面及び天面を閉止し、周壁を切断して、その切断縁の上方部分を除去した開梱状態で商品を陳列する切断積上げ陳列箱において少なくとも１つの側板に門形切目を入れて舌片を形成すると共に、その端部から上稜部及び天面部に鉤形切目が断続するジツパを形成する。【選択図】図−２
2014076851.tif 000002
【特許請求の範囲】
【請求項１】
周壁をなす各側面から延出した、フラツプで底面及び
2014076851.tif 000003
その切断縁の上方部分を除去した開梱状態で商品を陳列する切断積上げ陳列箱にあって、少なくとも１つの側板に門形切目を入れて舌片を形成すると共にその端部から鉤形の切目が断続するシツパーを形成した事を特微とする切断陳列箱。
【請求項２】
対向する側板に門形切目を入れて舌片を形成すると共に、一方の端部から他方の端部に向けて天面部に鉤形の切目が断続するジツパーを形成したことを特微とする請求項１に記載の切断積上げ陳列箱。
【発明の詳細な説明】
【技術分野】
【０００１】本発明は段ボールに関する。
【背景技術】
【０００２】一般に図−６に示すように周壁をなす各側板５１、５２から延出したフラツプ５３、５４で底面及び天面を閉止し、周壁内面に切裂帯として貼着したカツトテープ５５、を始端切目５６、から引っ張って周壁を切断すると、その切断縁の上方を除去しした開梱状態で商品陳列できる。
【発明の概要】
【発明が解決しようとする課題】
【０００３】しかし店頭での問題として上方を除去後、陳列する際に、図−７の如く数段積陳列は、出来るが商品売切れ毎にカツトテープ等で切断する必要がある（手間と労力が掛る）またカツトテープ５５、に代えて周壁をなす段ボールの内面のライナーに２本平行する切目線を入れ切裂帯を形成し、その切裂帯をカツトテープ５５、と同様に引っ張って開梱できるようにした切断陳列箱もある。（ライナーカツトという）
【課題を解決するための手段】
【０００４】上記課題を解決するため、この発明は周壁をなす各側板から延出したフラツプで底面及び天面を閉止し周壁を切断して、その切断縁の上方部分を除去した閉梱状態で商品を陳列する切断積上げ箱において少なくとも１つの側板に門形切目７、を入れ舌片６、を形成すると共に、その端部付近からフラツプ４及び天面部１２、に鉤形切目が断続するジツパ９、１０、を形成したものである。【０００５】対向する側板に門形切目を入れて舌片を形成すると共に、一方の端部から他方の端部に向けて天面部に鉤形切目が断続するジツパを形成したことを特微とする、切断積上げ陳列箱
【発明の効果】
【０００６】以上のような発明は係る切断積上げ陳列箱は、周壁をなす各側板に門形切目を入れ舌片を形成すると共に、その端部付近から前面（切取面）１３、及び上部へかけて鉤形切目が断続するジツパを形成し、陳列時には、舌片を押し込んで引き上げるだけで容易に開梱できる。
また段ボール製造工程でカツトテープの貼着やライナーカツトを施す必要がなく、印刷や糊付を行なう、フレキソフオルダーグルアを用いて製造できるため低コストで供給することができる。
【図面の簡単な説明】
【０００７】
【図−１】この発明の実施形態に係る切断積上げ陳列箱のブランクを示す図
【図−２】同上の梱包状態を示す斜視図
【図−３】同上の開梱過程を示す斜視図
【図−４】同上の開梱状態を示す斜視図
【図−５】同上の積上げ陳列の斜視図
【図−６】従来の切断陳列箱を示す斜視図
【図−７】従来の陳列状態の斜視図
【発明を実施するための形態】
【０００８】以下この発明の実施形態を添付図面に基づいて説明する。
【０００９】最初に図−１〜５を用いて実施例について説明する。
この切断積上げ陳列箱は図−１に示すような段ボール製のブランクから成り、このブランクでは、各１対の巾面及び長面の側板１、２、が交互に連設されている。側板１、２、の上下縁にはフラツプ４、５、がそれぞれ連設されている。
側板１、のどちらかに舌片６、が門形切目７、を上向きに入れることにより形成され、舌片６、の基端には折目８、が入れられている。
その側板には舌片６、の両端付近からフラツプ４、及び天面１２、にかけてそれぞれ鉤形の切目が断続するジツパ９、１０、が形成されている。
又、他の側板１、の天面フラツプ４、にはテーパー状のジツパ１５、が設けられている。
【００１０】上記のようなブランクを組立て、商品を梱包するには図−２に示すような各１対の側板１、２、を角筒状に折り曲げ継ぎ代３、を反対側の側板１、に貼り付けて周壁を形成し、フラツプ４、５、を内側に折り曲げて底面及び天面を閉止する。一方店頭において、この箱を開梱して商品陳列する際に図−３に示すように舌片６、を押し込む事が出来る。そして舌片６、の門形切目７、に手を入れ図−４に示すようにジツパ９、１０、に沿って側板１、と上稜部１１、とフラツプ４、と天面部１２、の一部を除去する。
すると図−５、に示すような商品を露出させて積上げ陳列が可能になる。
【符号の説明】
【００１１】１、２、    側板            １３、  前面切取面
３          継ぎ代          １４、  手穴
４、５      フラツプ        １５、  テーパー状ジツパ
６          舌片
７、        門形切目
８、        折目
９、１０    ジツパ
１１、      上稜部
１２、      天面部
【図−１】
2014076851.tif 000004
【図−２】
2014076851.tif 000005
【図−３】
2014076851.tif 000006
【図−４】
2014076851.tif 000007
【図−５】
2014076851.tif 000008
【図−６】
2014076851.tif 000009
【図−７】
2014076851.tif 000010
(57)【要約】      （修正有）【課題】個人摂取のための蜂蜜用パッケージに関し、使用性と効率の改善されたパッケージを提供する。【解決手段】中央部（２．１）及び柄部（２．２）の２つの部分に分かれたボウル状の本体（２）と、シール（２．３）と、ケーシングないしは基部（３）とを有するパッケージ（１）からなる、蜂蜜用の個別パッケージであって、前記本体（２）には、前記シール（２．３）がのり付けされる平坦で広い縁部（２．４）が設けられており、摂取される被包装物が、前記中央部（２．１）に配置され、前記柄部（２．２）が、被包装物の取扱いと摂取を可能とする。【選択図】図１
2014076857.tif 000002
【特許請求の範囲】
【請求項１】
中央部（２．１）及び柄部（２．２）の２つの部分に分かれたボウル状の本体（２）と、シール（２．３）と、ケーシングないしは基部（３）とを有するパッケージ（１）からなる、蜂蜜用の個別パッケージであって、
前記本体（２）には、前記シール（２．３）がのり付けされる平坦で広い縁部（２．４）が設けられており、
摂取される被包装物が、前記中央部（２．１）に配置され、
前記柄部（２．２）が、被包装物の取扱いと摂取を可能とする、
ことを特徴とする、個別パッケージ。
【発明の詳細な説明】
【技術分野】
【０００１】
本発明は、個人摂取のための分野における蜂蜜用パッケージモデルであって、既存の同様な製品に比して使用性と効率の改善を目的としたものにある。
【背景技術】
【０００２】
現在、蜂蜜の個人摂取のためのパッケージは、直立型の小袋の形態をとり、それは摂取者の口に、摂取者自身が直接的にあてがうのが一般的である。しかし、それらの取扱いは、規格化や国際化の目的で、商品保護、すなわち食品の製造基準、輸送基準及び保管基準の観点から有効なものではなくなってきている。また、現在の小袋は、蜂蜜のテイスティングを行うために、歯間にパッケージを押し付けることが必要であり、しばしば、口に簡単に入ってしまったり、無意識に飲み込んでしまったりすることもあるので、摂取中に危険なものとなるおそれがある。
【発明の概要】
【０００３】
この包装システムの出願の分野は、輸出の可能性も考慮した、蜂蜜の個別摂取に適した量の小売りというものであり、食品安全の極めて厳格な指針に適合するのである。蜂蜜は前以て決められた量でパッケージされ、容器の口をカバーする封緘ないしはシールが外部物質から保護する。そして、パッケージアセンブリを無菌状態に維持しつつ、パッケージアセンブリを、摂取に要求される無菌状態で摂取者の口に持って行くことを可能とする。
【０００４】
本発明の利点及び技術的効果は、次の通りである。すなわち、市場で決められた様々な内容量に適合すること、他の食品用のパッケージを製造する際に典型的に用いられる方法、例えば熱成形法、射出成形法、電気溶着法等によって容易に製造できること、内部に収容される製品、この場合は蜂蜜の無菌状態を確保できること、効率的な包装システムを用いることによって製品に対する価値を付加すること、食品安全性の観点から、より要求の強い市場への輸出を可能とすること、取扱いのための柄部を有する独特な形状によって、また、容器の形状によって、人間工学上の使用を可能とすること、ひいては、無菌状態で且つ安全に口に直接的に持って行けること、である。
【０００５】
文献ＭＵ７７２０２２７５は、ソース、化粧品その他の製品のための使捨て型個別パッケージであって、その構造や開封システム、利用法に対して独特の設計が適用されたものを開示している。それは、ゴミを生ずることなく、内容物を全体として実用的で安全な態様で徐々に取り出すことを可能とする。そのパッケージは、２つの面、すなわち、縁部で互いに溶着された上面と下面とにより形成されている。上面には、互いに対向配置された垂直に向けられた２つのリブがあり、下面には、その中央部に、粘着性の封止テープによりカバーされる可変寸法の穴が設けられている。そのパッケージは本発明とは本質的に相違する。
【０００６】
“Disposicao construtiva em embalagemplastica com lacre”というタイトルの文献ＭＵ９００００２４−２には、主としてインスタント食品の包装と販売用に設計されたプラスチックからなる使捨て型パッケージが開示されている。このパッケージは、容器（ｐｏｔ）と単一部材の蓋とにより構成され、それぞれのタブは、弱め線が設けられた帯状体により相互結合された細長い領域を特色としており、前記帯状体を、パッケージの破断可能なシールとして形成している。これも本発明とは本質的に相違する。
【０００７】
従来のパッケージの欠点に鑑みて、また、それらを解決するために、本発明の主題である蜂蜜用の個別パッケージが、安全に且つ無菌状態で蜂蜜の摂取を可能とすることを目的に、創案された。
【０００８】
以下、本発明を、好適な実施形態を参照して説明すると共に、添付図面に示す。
【図面の簡単な説明】
【０００９】
【図１】本パッケージの斜視図である。
【図２】本パッケージの側面図である。
【発明を実施するための形態】
【００１０】
図１及び図２によれば、パッケージ（１）は、中央部（２．１）及び柄部（２．２）の二つの部分に分かれたボウル状の本体（２）と、封緘ないしはシールと、ケーシングないしは基部（３）とから構成されている。パッケージの本体（２）には、平坦で広い縁部（２．４）が設けられており、この縁部にシール（２．３）がのり付けされる。摂取される被包装物は中央部（２．１）に配置される。柄部（２．２）は被包装物の取扱いと摂取を可能とする。
【００１１】
このパッケージは、プラスチック又は紙から作ることができ、切断されるべき場所がどこかということを示すマークを、その後ろ側部分に、前以て付けることができる。この場所というのは、に入れられる前に中央部（２．１）が外部物質と接することなく、柄部（２．２）によりケーシング（３）から本体（２）を取り出す際にユーザを案内する。
【００１２】
本発明は、射出成形又は熱成形によって熱可塑性の硬質容器を形成することにより、製造されるとよい。多層材料から作られた除去可能なシールは、従来のラミネーション・印刷システムによって製造できる。硬質の容器へのその溶着は、電気溶着法又は超音波溶着法によって行うことができる。熱可塑性の外側のケーシングは、従来のラミネーション・印刷システムによって製造できる。そして、その閉鎖は、電気溶着法又は超音波溶着法によって行うことができる。
【符号の説明】
【００１３】
１…パッケージ、２…本体、２．１…中央部、２．２…柄部、２．３…シール、２．４…縁部、３…ケーシング。
【図１】
2014076857.tif 000003
【図２】
2014076857.tif 000004
【外国語明細書】
2014076857000001.pdf
(57)【要約】【課題】本発明はダストボックスをより強化する為のものである。【解決する手段】１  ボックス上部を２重にして強化する。２  底部に底板を入れて強化する。【選択図】図１
2014076899.tif 000002
【特許請求の範囲】
【請求項１】
１    段ボールボックスの上部を折返し（外側・内側）強化する。
２    底板をつけ底部を強化する。
３    多色
【発明の詳細な説明】
【技実分野】
【０００１】  この発明は通常の段ボールを使用したダストボックスをより強化したものに、関するものである。
【背景技術】
【０００２】  従来のダストボックスは段ボールをそのまま一重でケースを作成していた。
【発明の概要】
【発明が解決しようとする課題】
【０００３】  これは、次のような問題点があった、ボックスに「レジ袋」などを取り付けるときなどに壊やすい、段ボールは長い間折りたたんでいると組み立てたときにゆがみが出てしまう。
本発明は、以上のような欠点をなくす為になされたものである。
【課題を解決するための手段】
【０００４】  ▲１▼  新たに発明した、上部の最も使う部分に「折返し」二重にしてあるので何回も使用することが出来る、
▲２▼  また底のところには「底板」をはめ込みの２重になるので強度は増すので安心である。
▲３▼  本発明は段ボールなので折りたたみが簡単なので保管・運搬が便利である、
▲４▼  廃棄は紙として処分出来、再生してエコ商品である。
以上の構成による。
【発明の効果】
【０００５】  ▲１▼  段ボールなので軽く持ち運びがらくである。
▲２▼「レジ袋」や「ゴミ袋」など頻繁に当たるところが強化されているので長持ちする、底の部分も今までよりも重くても安心である。
【図面の簡単な説明】
【０００６】
【図１】  本発明の斜視図である。
【図２】  底板の図面。
【発明を実施するための形態】
【０００７】  以下、本発明を実施するための最良の形態について説明をする。
ボックス上部に折返し（表・裏）をつけ段ボールが２重になるようにして、強化し、底板を図のように折り曲げ底のほうへ沈めることで底が強化される。
【符号の説明】
【０００８】  １    折返しを付け２重になっている
２    取っ手
３    本体
４    底板
４    底板
５    断面図１
６    断面図２
【図１】
2014076899.tif 000003
【図２】
2014076899.tif 000004
【図３】
2014076899.tif 000005
【図４】
2014076899.tif 000006
【手続補正書】
【提出日】平成24年12月17日(2012.12.17)
【手続補正１】
【補正対象書類名】明細書
【補正対象項目名】０００６
【補正方法】変更
【補正の内容】
【０００６】
【図１】本発明の斜視図である、これで全体像がよく解るようにした。
【図２】底板の図面、底板の折り込み方法をこのようにしてセットすれば簡単である。
【図３】側面  断面図１、横から見れば上部の強化されたところが解るようにした。
【図４】正面  断面図２、正面からも上部の強化されたところが解ようにした。
(57)【要約】      （修正有）【課題】雨でぬれた自転車をふくタオルを自転車に取り付けることができるように、タオルを入れた袋にマジックテープ（登録商標）を付ける部分を設けた自転車用タオル入れを提供する。【解決手段】タオルを入れた袋１の裏に、自転車（かご、荷台下等）に固定させるためのマジックテープ（登録商標）２を設ける。マジックテープ（登録商標）を設けることで、取り付けられる箇所が、１か所だけでなく、また簡単に取り付けられる点を特徴とする。【選択図】図１
2014076708.tif 000002
【特許請求の範囲】
【請求項１】
水を通さない袋に、マジックテープ（登録商標）を付ける部分を設けた自転車用タオル入れ
【発明の詳細な説明】
【技術分野】
【０００１】
この発明は、雨でぬれた自転車をふくタオルを自転車に取り付ける自転車用タオル入れに関するものである。
【背景技術】
【０００２】
従来、１か所にしか取り付けられないようになっている。また、取り付けが簡単ではない。
【先行技術文献】
【特許文献】
【０００３】
【特許文献１】特開2002-284063号公報
【発明の概要】
【発明が解決しようとする課題】
【０００４】
これは、次のような欠点があった。１か所にしか取り付けられないという点である。また、簡単に付けたり、外したりできない点である。
本発明は以上のような欠点をなくすためになされたものである。
【課題を解決するための手段】
【０００５】
タオルを入れた袋の裏に、自転車（かご、荷台下等）に固定させるためのマジックテープ（登録商標）をつける。
本発明は、以上の構成によりなる自転車用タオル入れである。
【発明の効果】
【０００６】
本発明は取り付けできる箇所が１か所だけではなく、取り付けが簡単で道具も不要であること、加えて常時自転車に取り付けているので、必要な時いつでもタオルを入れた袋から出しふくことができる。
【図面の簡単な説明】
【０００７】
【図１】本発明の斜視図である。
【発明を実施するための形態】
【０００８】
以下、本発明を実施するための形態について説明する。タオルを入れた水を通さない袋に、マジックテープ（登録商標）を付ける部分を設ける。自転車のかご、荷台下等の取り付けできそうな箇所にマジックテープ（登録商標）により固定し取り付ける。本発明は、以上のような構造である。これを使用する時は、雨でぬれた自転車本体やほこりをふく時、袋から出してふけば良い。
【符号の説明】
【０００９】
1  タオルを入れる袋
２  マジックテープ（登録商標）
【図１】
2014076708.tif 000003
(57)【要約】      （修正有）【課題】従来は、マンゴをカットするときは、まっすぐなナイフでマンゴの種の一番上の部分にマンゴと水平に刃をマンゴの枝つきの方から下向きに果肉を切り取っていたためマンゴの種の横部分に果肉が多く残っていた。【解決手段】マンゴピーラを設けた事により、ピーラの弾性刃を自在に種の形に合わせて湾曲状にしてマンゴの果肉を取る事ができる。【選択図】図１
2014076080.tif 000002
【特許請求の範囲】
【請求項１】
マンゴの果肉を種から分離するマンゴピーラであって、取手の先端に設けられた弓状の弾性体と両端にバネ状の弾性刃を掛け渡し、その弾性刃は、前記弾性体に対して若干の遊びをもって揺動可能に連結され、前記弓状の弾性体を内側に湾曲させると前記弾性刃がしなる事を特徴とするマンゴピーラ。
【発明の詳細な説明】
【技術分野】
【０００１】
本発明は、マンゴ専用のマンゴピーラで、マンゴの実と種と果肉とを三枚にするものである。
【背景技術】
【０００２】
従来は、まっすぐなナイフでマンゴをカットしていたが、種の両端に果肉が多く残っていたため、何度でもナイフを入れて果肉をけずり取っていた。
【先行技術文献】
【特許文献】
【０００３】
【特許文献１】実用新案登録第３１０２６４９号
【発明の概要】
【発明が解決しようとする課題】
【０００４】
以上に述べた従来のまっすぐなナイフでは、マンゴがつるに下がっている部分（頭）からナイフを入れて種に沿ってマンゴの下まで切っていたが、種の両横に多くの果肉が残っていた。
【０００５】
本発明は、このような問題点を解決しようとするものであり、マンゴの種が大小様々なものであっても、マンゴの種の形に沿って果肉を切り取る事ができるマンゴピーラを提供する。
【課題を解決するための手段】
【０００６】
上記目的を達成するために、本発明のマンゴピーラ１は、弓状に湾曲した弾性体３Ａ・３Ｂの間に湾曲することのできる弾性刃２を架け渡したものである。そして、マンゴの種と果肉を分離するときは、弾性体３Ａ・３Ｂを互いに内側に押さえて弾性刃２を湾曲させ、その状態で弾性刃２をマンゴの種に沿って引くことにより、種から果肉を綺麗に分離することができる。このように、弾性刃２を種の形に沿って自在に湾曲させることができるため、種に果肉を残さずに分離することができる。
【０００７】
又ピーラの取手部分４を親指と人差し指以外の指三本で握り、人差し指と親指で弓状の弾性体３Ａと３Ｂを押さえて内側へ曲げると、弾性体３Ａ／３Ｂに架け渡された弾性刃が種の形に沿って湾曲状になり、果肉を分離することができる。
【発明の効果】
【０００８】
上述したように、本発明のマンゴピーラは、マンゴの枝つき（頭）の方から弾性刃を下側に引く事で簡単に種と果肉とを分離する事ができる。しかも、種が大小様々なものであっても、それに合わせて弾性刃を湾曲させることで、種に果肉を残さずに綺麗に分離することができる。
【０００９】
今までは、一本のまっすぐなナイフで切り取っていたため、果肉が種に残っていたが、マンゴピーラを使用する事により、種に付着する果肉を最小限にすることができた。
【図面の簡単な説明】
【００１０】
【図１】マンゴピーラ本体の平面図。
【図２】弓状の弾性体３Ａ・３Ｂの先端にある一辺が他辺より長い四角形の斜視図。
【図３】弓状の弾性体３Ａ・３Ｂの先端にある一辺が他辺より長い四角形に刃を組み込んだ先端部分の斜視図。
【図４】手でピーラの持ち方を説明している斜視図。
【図５】マンゴの上半分をマンゴピーラでカットした側面図。
【図６】マンゴの上半分をカットした平面図。
【図７】カットしたマンゴの果肉の表側を指で押さえて果肉を裏返しにした果肉にナイフで切れ目を入れている平面図。
【発明を実施するための形態】
【００１１】
以下、本発明の一実施形態を図１〜図４に基づいて説明する。
【００１２】
図１において、マンゴピーラ本体１の取手４は、合成樹脂又はステンレスなどで形成されており、その取手の下には、弾性刃２を支えている弓状の弾性体３Ａ・３Ｂを備えている。その弾性体３Ａ・３Ｂの各端部には、弾性刃２と弾性体３Ａ・３Ｂをつなぐ穴７が設けられ、弾性刃２の両端には、抜け止め６が設けられている。
前記穴７は、一辺が長い矩形状に形成されて、そこに挿入された弾性刃２が一定角度で揺動するようになっている。これにより、湾曲する種にそって、弾性刃２を動かすことができる。
【００１３】
バネ状の弾性体３Ａ・３Ｂの材質はステンレススチールであり、その弾性体３Ａ・３Ｂの両端にバネ性のステンレス鋼からなる弾性刃２が架け渡されたいる。
【符号の説明】
【００１４】
１    マンゴピーラ本体
２    弾性刃
３Ａ  弓状の弾性体
３Ｂ  弓状の弾性体
４    ピーラの取手
５    手
６    抜け止
７    穴
８    マンゴの種
９    マンゴの果肉
１０    取手と弾性体を固定するためのネジ
１１    人差し指
１２    親指
１３Ａ  弾性体１３Ａが内側にしなっている。
１３Ｂ  弾性体１３Ｂが内側にしなっている。
１４    マンゴピーラで切り取った果肉にナイフで切り目を入れている。
【図１】
2014076080.tif 000003
【図２】
2014076080.tif 000004
【図３】
2014076080.tif 000005
【図４】
2014076080.tif 000006
【図５】
2014076080.tif 000007
【図６】
2014076080.tif 000008
【図７】
2014076080.tif 000009
【手続補正書】
【提出日】平成24年12月7日(2012.12.7)
【手続補正１】
【補正対象書類名】特許請求の範囲
【補正対象項目名】全文
【補正方法】変更
【補正の内容】
【特許請求の範囲】
【請求項１】
マンゴの果肉を種から分離するマンゴピーラであって、取手の先端に設けられた弓状の弾性体と、その弾性体の両端部にそれぞれ設けられた穴と、その各穴に端部が挿通されて架け渡されたバネ状の弾性刃とを備え、前記各穴は、前記弾性刃のそれぞれの端部が揺動可能となる大きさに成形され、かつ前記弾性刃の各端部には、前記穴からの抜け止めが形成されていることを特徴とするマンゴピーラ。
(57)【要約】【課題】成長するにつれ、曲がって伸びて行くきゅうりを、紐で牽引することで、曲がりを矯正する。【解決手段】本発明は、きゅうりの花の根元に曲がり抑止の牽引紐を取り付け、袋に水などの錘を入れて、ぶら下げる事により、きゅうりの曲がりを抑止できることを特徴とする。【選択図】図２
2014076037.tif 000002
【特許請求の範囲】
【請求項１】
紐の一方の端に、輪を形成し、もう一方の端をこれに通す事で、絞ることが出来る輪を作り、この紐の端に、液体などの錘を入れる事が出来る袋を付ける。絞ることが出来る輪を、きゅうりの花の根元に持って行き、輪を縮めて花の根元を絞り、錘を入れる事が出来る袋をぶら下げてきゅうりを牽引し伸ばすことを特徴とする紐。
【発明の詳細な説明】
【技術分野】
【０００１】本発明は、成長するにつれ、曲がって行くきゅうりの曲がりを抑止出来る事を特徴とする。
【背景技術】
【０００２】きゅうりの曲がりを抑止するために、きゅうりに添え板を当て、曲がりを矯正する物はあった。しかし、これでは、きゅうり本来の成長をゆがめてしまう為、自然さを失うことがある。
【発明の概要】
【発明が解決しようとする課題】
【０００３】解決しようとする問題点は、きゅうりが、自然に伸び、且つ、曲がりを抑止する点である。
【課題を解決するための手段】
【０００４】本発明は、紐の一方の端に、輪１を作り、もう一方の端をこれに通し輪２を作る。通した紐の端３に、液体などの錘を入れる事が出来る袋４を付ける。
【発明の効果】
【０００５】本発明の錘を入れる事が出来る袋４に、液体などの錘を入れ、輪２を、きゅうりの花の根元５に掛け、輪を縮めて花の根元を絞り、錘を入れる事が出来る袋を、花の根元からぶら下げる事により、きゅうりを牽引し、きゅうりの成長と共に、曲がることなく伸ばす事が出来る。
【図面の簡単な説明】
【０００６】
【図１】本発明の構造を示す斜視図である。
【図２】本発明ときゅうりの花の根元の関係を示す斜視図である。
【発明を実施するための形態】
【０００７】図１は、紐の一方の端に、輪１を作り、もう一方の端をこれに通し輪２を作り、紐の端３を、液体などの錘を入れる事が出来る袋４に付けたものである。
【０００８】図２は、きゅうりの花の根元５と輪２の関係を示し、輪２できゅうりの花の根元５を絞る。
【実施例】
【０００９】図１は、紐の一方の端に、輪１を作り、もう一方の端をこれに通し輪２を作り、紐の端３を、液体などの錘を入れる事が出来る袋４に付けたもので、図２は、きゅうりの花の根元５と輪２の関係を示し、輪２できゅうりの花の根元５を締め付けるものである。
【産業上の利用可能性】
【００１０】きゅうりが成長すれにつれて、きゅうりを真っ直ぐに矯正させることで、きゅうりの商品価値をあげることが出来る。
【符号の説明】
【００１１】１  紐の端の輪
２  紐の一方の端を輪１に通した輪
３  紐の端
４  錘を入れる事が出来る袋
【図１】
2014076037.tif 000003
【図２】
2014076037.tif 000004
(57)【要約】【課題】現在、クラゲの大量発生により、置網漁業に損害がでている。【解決手段】ホース１に気体放出弁２を設ける。ここから放出される気体４がクラゲ５の傘の内部に溜まり、クラゲ５はこれを排気する術を持たないので、海面６に浮かびあがってしまう。しかし、気体４は魚７には何ら影響しないので、浮かび上がってきたクラゲ５だけを始末できる。【選択図】図１
2014076034.tif 000002
【特許請求の範囲】
【請求項１】
ホースに等間隔に気体放出弁を設けたことを特徴とするクラゲフローター。
【請求項２】
前記ホースは、海底に沈むだけの重量を持つことを特徴とする請求項１記載のクラゲフローター。
【請求項３】
前記気体放出弁は、火山岩若しくは虫食いに似た内部構造を持つことを特徴とする請求項１記載のクラゲフローター。
【発明の詳細な説明】
【技術分野】
【０００１】  この発明は、大量発生するクラゲの排除に関する。
【背景技術】
【０００２】  現在、大量発生したクラゲが置網漁業に深刻な害を成している。
【先行技術文献】
【特許文献】
【０００３】
【特許文献１】特開平１１−０９８９３３号公報
【発明の概要】
【発明が解決しようとする課題】
【０００４】  しかしながら、現在、効率的にクラゲを排除する方法は確立されていない。
そこで、この発明は、効率的にクラゲを排除する技術を提供することを課題とする。
【課題を解決するための手段】
【０００５】  以上の課題を解決するために、第一発明は、ホースに等間隔に気体放出弁を設けたことを特徴とするクラゲフローターである。
また、第二発明は、ホースは、海底に沈むだけの重量を持つことを特徴とするクラゲフローターである。
また、第三発明は、気体放出弁は、火山岩若しくは虫食いに似た内部構造を持つことを特徴とするクラゲフローターである。
【発明の効果】
【０００６】  第一発明によれば、気体放出弁はクラゲの排除に必要な気体を放出できる。
第二発明によれば、任意の位置にホースを設置できる。
第三発明によれば、広範囲に効率的に気体を放出できる。
【図面の簡単な説明】
【０００７】
【図１】この発明の一実施形態を示す側面図である。
【図２】この発明の一実施形態を示す断面図である。
【発明を実施するための形態】
【０００８】  この発明の一実施形態を、図１及び図２に示す。
ホース１には海底に沈むだけの重量があり、等間隔に気体放出用弁２が付いている。弁の内部には、火山岩又は虫食いに似た内部構造３の処理がされている。
【００９】「実施形態の効果」
この実施形態によれば、気体放出弁２から放出された気体４がクラゲ５の傘の中に溜まり、海面６へ浮かび上がらせることができる。魚７には何ら影響は無い。
【符号の説明】
【００１０】１  ホース                      ２  気体放出弁
３  内部構造                    ４  気体
５  クラゲ                      ６  海面
７  魚
【図１】
2014076034.tif 000003
【図２】
2014076034.tif 000004
(57)【要約】【課題】本発明はウドに旨味を作らせることができる。【解決手段】ウドを萌芽させてから収穫迄の間に、ウドの周囲を低温０℃〜１３℃にして、ウドに旨味を作らせて収穫する。【特許請求の範囲】
【請求項１】
ウドを萌芽させてから収穫迄の間にウドの周囲を低温０℃〜１３℃にしてウドに旨味を作らせて収穫することに特徴のある栽培方法である。
【発明の詳細な説明】
【技術分野】
【０００１】本発明はウドに旨味を作らせる栽培方法に関するものである。
【背景技術】
【０００２】従来の栽培方法では香りは、あるが、旨味が無いに等しい欠点があった。
【先行技術文献】
【０００３】
【特許文献１】特開２００６−６７９８９公報
【０００４】
【非特許文献１】ヤマウド  農山漁村協会
【発明の概要】
【発明が解決しようとする課題】
【０００５】従来のウドの栽培方法では香りはあるが、旨味が無いに等しかった。
【課題を解決するための手段】
【０００６】ウドを萌芽させてから収穫迄の間にウドの周囲を成育温度より低温にする事に依り、ウドに旨味を作らせる事ができる。
【発明の効果】
【０００７】本発明のウドは旨味の濃淡が自由なウドを提供できる。
【発明を実施するための形態】
【０００８】〔以下本発明を詳細に説明する〕
【実施例１】
【０００９】外気温が１５℃以下の季節はハウスの窓扉を、全閉にして、電気ヒーター、スチーム暖房機、太陽熱、温泉熱等をオンにして、ウドの根株部の周囲及びハウス内を萌芽温度１５℃〜２５℃にしてウドを萌芽させて、少し成育させてから、電気ヒーター、スチーム暖房機、太陽熱、温泉熱等をオフにして、ハウスの窓扉を全開又は全閉にして、ハウス内を低温０℃〜１３℃にして４時間以上続けてから、ウドの成育温度１５℃〜２５℃と低温０℃〜１３℃を交互に繰り返し行って、ウドに旨味を作らせて収穫サイズ迄成育させて収穫する。低温０℃〜１３℃の差は０℃に近ずく程旨味が濃くなり、１３℃に近ずく程旨味が薄くなる為旨味の濃淡が自由なウドが提供できる。旨味が作れる事に関しては判らないが、ウドは凍害に弱い為、自らアクを作り守ると考えられる。ウドの旨味は茎をアク抜きしないで天ぷらにするとアクが加熱されて旨味に変化すると考えられる。ウドのアクは食物中唯一毒性が無いとのこと。
【実施例２】
【００１０】外気温が１５℃以下の季節はハウスの窓扉を全閉にして電気ヒーター、スチーム、暖房機、太陽熱、温泉熱等をオンにして、ウドの根株部、の周囲及びハウス内をウドの萌芽温度１５℃〜２５℃にして、ウドを萌芽させて、収穫直前迄成育させて、電気ヒーター、スチーム、暖房機、太陽熱温泉熱等をオフにして、ハウスの窓扉を全開又は全閉にしてハウス内を低温０℃〜１３℃にして、４時間以上続けて、ウドに旨味を作らせて収穫サイズ迄成育させて収穫する。
【実施例３】
【００１１】外気温が１５℃以上の季節は、ハウスの窓扉を全開にして外気温で萌芽させて、少し成育させてからハウスの窓扉を全閉にして冷却機でハウス内を低温０℃〜１３℃で４時間以上続けてから、冷却機をオフにして、ウドの成育温度１５℃〜２５℃と低温０℃〜１３℃を交互に繰り返し行ってウドに旨味を作らせて収穫サイズ迄成育させて収穫する。
【実施例４】
【００１２】外気温が１５℃以上の季節はハウスの窓扉を全開にして外気温でウドを萌芽させて収穫直線直前迄成育させて、ハウスの窓扉を全閉にして冷却機をオンにして低温０℃〜１３℃を４時間以上続けてウドに旨味を作らせて収穫サイズ迄成育させて収穫する。
【実施例５】
【００１３】電気ヒーター、スチーム、暖房機太陽熱、温泉熱等をオンにして、ウドの根株部の周囲及びハウス内を萌芽（成育）温度１５℃〜２５℃にしてウドを萌芽させて、少し成育させてから、電気ヒーター、スチーム、暖房機、太陽熱、温泉熱等をオフにして、冷却機をオンにしてハウス内を低温０℃〜１３℃で４時間以上続けてから冷却機をオフにして、ウドの成育（萌芽）温度１５℃〜２５℃を４時間以上と低温０℃〜１３℃を４時間以上を交互に繰り返し行ってウドに旨味を作らせて収穫サイズ迄成育させて収穫する。
【実施例６】
【００１４】電気ヒーター、スチーム、暖房機太陽熱、温泉熱、等をオンにしてウドの根株部の周囲及びハウス内をウドの萌芽（成育）温度１５℃〜２５℃にして萌芽させて収穫直前迄成育させてから、電気ヒーター、スチーム、暖房機、太陽熱、温泉熱等をオフにして冷却機をオンにしてハウス内を低温０℃〜１３℃で４時間以上続けて、ウドに旨味を作らせて収穫サイズ迄成育させて収穫する。
【産業上の利用可能性】
【００１５】当栽培方法は農業分野に於いて量産化できる。